(57)【要約】【課題】多種類の材料を収容し混合可能な飲料瓶を提供すること。【解決手段】瓶体３１の第一端３１Ａに瓶蓋３２で封鎖される第１の開口３１１を形成し、第１の開口３１１より下方へ飲料区３１２が延伸し、飲料区３１２と第二端３１Ｂの間に形成された区分保管区３１３を隔壁３１４で複数の収容設置空間３１３１に区画し、収容設置空間３１３１と飲料区３１２が第２の開口３１５１で連通され、第２の開口３１５１を囲み壁３１５で囲み、瓶蓋３２の底面に凸リブ３２２で囲んだ嵌着槽３２３を形成し、瓶蓋３２を貫通する作動組３３は、移動可能なコントロールバー３３１、その一端に設けた係止板３３２及び他端に設けた圧力ハンドル３３３を有し、係止板３３２は、凹溝３３２１が隔壁３１４に嵌着した時、第２の開口３１５１を封鎖し、瓶蓋３２まで移動した時、各凸リブ３２２と嵌着して嵌着槽３２３内に定位される。【選択図】図３
2019051955.tif 000002
【特許請求の範囲】
【請求項１】
多種類の材料を収容し混合可能な飲料瓶であって、第一端と第二端を有する瓶体、前記瓶体に連接する瓶蓋、及び前記瓶蓋を貫通するように設置し、かつ、移動して前記瓶体に進入する作動組を有し、
前記瓶体は、
前記第一端に形成され、前記瓶蓋によって封鎖される第１の開口と、
前記第１の開口より下方へと延伸する飲料区と、
前記飲料区と前記第二端との間に形成される区分保管区と、
前記区分保管区内に設置され、しかも前記区分保管区を複数の収容設置空間に区画する少なくとも一つの隔壁と、
前記飲料区と前記区分保管区との間に設置され、かつ、第２の開口を取り囲む囲み壁と、
を有し、前記各収容設置空間は、前記第２の開口を通して前記飲料区と連通し、
前記瓶蓋は、
前記第一端と嵌着し、かつ、前記第１の開口を封鎖する底面、前記底面から突出する複数の凸リブ、及び前記各凸リブに囲まれる嵌着槽を有し、
前記作動組は、移動して前記飲料区に進入できるコントロールバー、前記コントロールバーの一端に連接し、かつ、前記隔壁と嵌着する係止板、及び前記コントロールバーの反対端に連接し、かつ、前記瓶蓋から突出する圧力ハンドルを有し、
前記係止板は、前記隔壁と対向する面に少なくとも１つの凹溝が設けられ、
前記係止板が前記隔壁に嵌着した時、前記凹溝は前記隔壁の頂縁を包んで覆い、同時に前記係止板が前記第２の開口を封鎖することにより、前記飲料区と前記区分保管区とは連通せず、
前記係止板が前記瓶蓋まで移動した時、前記係止板は、前記各凸リブと嵌着して前記嵌着槽位置に定位されることを特徴とする、多種類の材料を収容し混合可能な飲料瓶。
【請求項２】
前記瓶体の第二端に底口を形成し、前記底口を開閉する底蓋を設置したことを特徴とする、請求項１に記載の多種類の材料を収容し混合可能な飲料瓶。
【請求項３】
前記底蓋と各隔壁との間に遮断フィルムを設置することを特徴とする、請求項２に記載の多種類の材料を収容し混合可能な飲料瓶。
【請求項４】
前記コントロールバーの前記係止板側の端部に縮頚区を陥没状に設置することを特徴とする、請求項１から３のいずれか１つに記載の多種類の材料を収容し混合可能な飲料瓶。
【請求項５】
頂蓋をさらに設置し、前記頂蓋の内壁は前記瓶蓋と相互に嵌着し、前記頂蓋が前記瓶蓋に蓋をする時、前記圧力ハンドルは、前記頂蓋と瓶蓋間に封鎖されることを特徴とする、請求項１から４のいずれか１つに記載の多種類の材料を収容し混合可能な飲料瓶。
【発明の詳細な説明】
【技術分野】
【０００１】
本発明は、多種類の材料を収容し混合可能な飲料瓶に関する。
【背景技術】
【０００２】
従来の飲料瓶は１個の収容室しか有しないため、その飲料瓶には一種類の材料しか収容することができない。
そのため、多種類の材料を混合する際には、充填前に、これらの材料を混合しなければならない。
例えば、飲料を販売する前には、糖分等の材料と主要飲料を予め混合し、飲料瓶内に充填しておく必要がある。また、ミックス飲料（フルーツカクテルなど）は、飲料瓶に充填する前に十分に混合しておかなければならない。
しかし、予め混合して飲料瓶に充填する場合は、混合飲料或いはカクテルの賞味期限が短くなり、変質が起こりやすい。
このような変質を防ぐためには、通常、各種材料を異なる飲料瓶或いは異なる包装に充填し、使用者が使用する際に別の飲料瓶を用意し、異なる飲料瓶或いは包装の材料を同一飲料瓶に入れた後、各異なる材料或いは飲料を混合することとなり、非常に不便である。
【０００３】
上記した問題を解決するため、特許文献１に開示するような混合機能を備えた容器（図１参照）が開発された。
特許文献１に開示する「容器出口の蓋体構造」は、容器１１、容器１１上に設置する蓋体１２、及び蓋体１２内に設置する区画パーツ１３を有する。
容器１１は、容器１１の一端に設置する出口端１１１、容器１１の外縁に設置し、しかも出口端１１１に近接する接続部１１２、及び出口端１１１から下方へと延伸し、しかも第一材料Ａを充填する収容設置区１１３を有する。
蓋体１２は、頂部面１２１、頂部面１２１から屈曲して下方へと延伸し、中空収容設置室１２３が形成された側端面１２２、頂部面１２１と反対の底部面１２４を有する。
中空収容設置室１２３は、底部面１２４により外部と連通し、側端面１２２の内周面の内側に設置され、しかも底部面１２４の蓋接続通路１２５に近い。
【０００４】
図２に示す通り、混合して飲用する際には、先ず蓋体１２上に下圧を加えながら回す。
これにより、蓋体１２中に嵌めて設置した区画パーツ１３は、容器１１の出口端１１１、接続部１１２に押され、区画パーツ１３と蓋体１２は離脱する。
こうして、中空収容設置室１２３と収容設置区１１３とは、繋がった状態を呈するため、蓋体１２内に充填される第二材料Ｂは、容器１１内に流入し、第一材料Ａと相互混合され、混合式材料の調整を達成する。
【０００５】
しかし、実際に使用すると、以下の状況が発覚した。
一般に、蓋体１２と容器１１とは販売前に一体に結合されるが、両者の間には、いくらか距離が残っている。
使用者が蓋体１２を回し、第一、第二材料Ａ、Ｂを混合する際には、外力の圧迫によるだけで、出口端１１１は区画パーツ１３を押し上げ、混合使用が達成される。
蓋体１２は、輸送の過程であろうと、商品棚に陳列されている時であろうと露出しているため、輸送の過程で外力の不当な圧力を受け、或いは好奇心で蓋体１２上に圧力を加えてしまう人がいる可能性もあり、蓋体１２中の第二材料Ｂが早めに容器１１内に流入し、第一材料Ａと混合してしまうこともあり得る。
【０００６】
これでは、材料は新鮮な味わいをなくしてしまい、同時に消費者は購買意欲を失ってしまう。
さらに、蓋体１２は、中空収容設置室１２３しか有しないため、収容できるのは一種類の材料だけである。
しかも、容器１１も収容設置区１１３しか有しないため、一種類の材料しか収容できない。
つまり、従来の飲料瓶は、二種類の材料の混合作業しか行えず、三種類以上の異なる材料飲品を混合して使用する際には限界がある。
【先行技術文献】
【特許文献】
【０００７】
【特許文献１】台湾特許公告第Ｉ２７１３５８号明細書
【発明の概要】
【発明が解決しようとする課題】
【０００８】
本発明が解決しようとする課題は、同時に多種類の材料をそれぞれ保管でき、しかも飲料瓶内の各空間の密封性を確保できる多種類の材料を収容し混合可能な飲料瓶を提供することにある。
【課題を解決するための手段】
【０００９】
本発明の多種類の材料を収容し混合可能な飲料瓶は、第一端と第二端を有する瓶体、前記瓶体に連接する瓶蓋、及び前記瓶蓋を貫通するように設置し、かつ、移動して前記瓶体に進入する作動組を有する。
前記瓶体は、前記第一端に形成され、前記瓶蓋によって封鎖される第１の開口と、前記第１の開口より下方へと延伸する飲料区と、前記飲料区と前記第二端との間に形成される区分保管区と、前記区分保管区内に設置され、しかも前記区分保管区を複数の収容設置空間に区画する少なくとも一つの隔壁と、前記飲料区と前記区分保管区との間に設置され、かつ、第２の開口を取り囲む囲み壁とを有し、前記各収容設置空間は、前記第２の開口を通して、前記飲料区と連通する。
前記瓶蓋は、前記第一端と嵌着し、かつ、前記第１の開口を封鎖する底面、前記底面から突出する複数の凸リブ、及び前記各凸リブに囲まれる嵌着槽を有する。
前記作動組は、移動して前記飲料区に進入できるコントロールバー、前記コントロールバーの一端に連接し、かつ、前記隔壁と嵌着する係止板、及び前記コントロールバーの反対端に連接し、かつ、前記瓶蓋から突出する圧力ハンドルを有し、前記係止板の前記隔壁と対向する面に少なくとも１つの凹溝が設けられる。
前記係止板が前記隔壁に嵌着した時、前記凹溝は前記隔壁の頂縁を包んで覆い、同時に前記係止板が前記第２の開口を封鎖することにより、前記飲料区と前記区分保管区とは連通せず、前記係止板が前記瓶蓋まで移動した時、前記係止板は、前記各凸リブと嵌着して前記嵌着槽位置に定位される。
【００１０】
前記瓶体の第二端に底口を形成し、前記底口を開閉する底蓋を設置してもよい。
この場合、前記底蓋と前記各隔壁との間に遮断フィルムを設置することがある。
前記コントロールバーの前記係止板側の端部に縮頚区を陥没状に設置することもできる。
望ましくは、頂蓋をさらに設置し、前記頂蓋の内壁は前記瓶蓋と相互に嵌着し、前記頂蓋が前記瓶蓋に蓋をする時、前記圧力ハンドルは、前記頂蓋と瓶蓋間に封鎖される。
【発明の効果】
【００１１】
本発明によれば、同時に多種類の材料をそれぞれ区分して保管でき、しかも飲料瓶内の各空間の密封性を確保できるため、最良の保存効果を達成する。
【図面の簡単な説明】
【００１２】
【図１】従来の飲料瓶の材料保存時における断面図である。
【図２】従来の飲料瓶の材料混合時における断面図である。
【図３】本発明の実施例１を示す飲料瓶の分解斜視図である。
【図４】本発明の実施例２を示す飲料瓶の分解斜視図である。
【図５】本発明の実施例１を示す飲料瓶の使用状態における断面図である。
【図６】本発明の実施例３を示す飲料瓶の分解斜視図である。
【発明を実施するための形態】
【００１３】
以下、本発明の実施例を図面に基づいて詳細に説明する。
図３及び図５は、本発明の実施例１を示す。
図３に示す通り、実施例１の飲料瓶３は、第一端３１Ａと第二端３１Ｂを有する瓶体３１、瓶体３１に蓋をする瓶蓋３２、及び瓶蓋３２に通して設置し、しかも移動して瓶体３１内に進入できる作動組３３を有する。
【００１４】
瓶体３１は、第一端３１Ａに形成されて、しかも瓶蓋３２により封鎖される第１の開口３１１、第１の開口３１１より下方へと延伸する飲料区３１２、飲料区３１２と第二端３１Ｂとの間に設置される区分保管区３１３、区分保管区３１３内に設置され、しかも区分保管区３１３を、複数の収容設置空間３１３１に区画する少なくとも１個の隔壁３１４、及び飲料区３１２と区分保管区３１３との間に横に設置され、しかも第２の開口３１５１を取り囲む囲み壁３１５を有する。
各収容設置空間３１３１は、第２の開口３１５１を通して飲料区３１２と連通しており、囲み壁３１５は第２の開口３１５１の飲料区３１２側に立設されている。
【００１５】
各収容設置空間３１３１の数は、隔壁３１４の数を調整することで増減できる。
本実施例では、隔壁３１４により収容設置空間３１３１を２つに区画するとして説明する。
また、図３に示す実施例１では、瓶体３１の第二端３１Ｂは飲料区３１２と反対の一端に、底口３１６を形成してあるが、図４に示す実施例２では、瓶体３１の第二端３１Ｂは封鎖式設計としてある。なお、実施例２の封鎖式設計とは、瓶体３１が有底のものを用いることである。
底口３１６には、底口３１６に蓋をできる底蓋３４を別に設置する。
実施例１では、瓶体３１の第二端３１Ｂに底口３１６を設置し、しかも底口３１６は、底蓋３４に封鎖されている。
【００１６】
瓶蓋３２は、第１の開口３１１を閉鎖することができ、第一端３１Ａと嵌着する底面３２１、底面３２１から下方へ突出し、しかも周方向に沿って配置された複数の凸リブ３２２を有し、凸リブ３２２で取り囲まれた内側には嵌着槽３２３が形成される。
瓶蓋３２を、瓶体３１上に設置すると、各凸リブ３２２は、底面３２１より、瓶体３１の第二端３１Ｂ方向へと延伸する。
【００１７】
作動組３３は、移動して飲料区３１２に進入できるコントロールバー３３１、コントロールバー３３１の一端に連接され、かつ、隔壁３１４と嵌着する係止板３３２、及びコントロールバー３３１の反対端に連接され、かつ、瓶蓋３２から突出する圧力ハンドル３３３を有する。
また、係止板３３２の隔壁３１４と相対する位置には、少なくとも１個の凹溝３３２１を陥没状に設置する。
係止板３３２が隔壁３１４に嵌着されると、凹溝３３２１は隔壁３１４の端部と緊密に嵌合する。
そして、第２の開口３１５１は係止板３３２で封鎖され、飲料区３１２と区分保管区３１３とが隔離される。
同時に、係止板３３２は、囲み壁３１５に包まれて固定され、密封性をさらに向上させる。
【００１８】
圧力ハンドル３３３とコントロールバー３３１が、瓶体３１の第一端３１Ａ方向へと移動し、係止板３３２が連動されて上方の嵌着槽３２３まで移動すると、係止板３３２は、凸リブ３２２で囲まれた嵌着槽３２３に嵌り込んで固定される。
また、コントロールバー３３１の係止板３３２に近い位置には、他部分よりも径の細い縮頚区３３１１を陥没状に設置する。
瓶体３１上には、頂蓋３６を別に設置する。
頂蓋３６は瓶蓋３２の外側に蓋をでき、頂蓋３６を被せた時、圧力ハンドル３３３は、頂蓋３６と瓶蓋３２との間に封鎖される。
【００１９】
図３及び図５の（ａ），（ｂ），（ｃ）に示す通り、飲料瓶３を使用する時には、収容設置空間３１３１に第一材料Ａを入れ、次にもう一つの収容設置空間３１３１に第二材料Ｂを入れる。
各収容設置空間３１３１内に、必要な第一及び第二材料Ａ、Ｂをそれぞれ入れた後、使用者は圧力ハンドル３３３を手で持ち下向きに圧力を加え、これによりコントロールバー３３１及び係止板３３２を連動し、開口３１１を経て下方へと飲料区３１２内へと進入する。
この時、係止板３３２の凹溝３３２１が隔壁３１４へ嵌着し、凹溝３３２１は隔壁３１４の頂縁を包んで覆う。隔壁３１４は凹溝３３２１により完全に覆われるので、係止板３３２と隔壁３１４と間に間隙が発生しない。
そして、第２の開口３１５１は係止板３３２で封鎖され、２つの収容設置空間３１３１は確実に連通しなくなる。
同時に、係止板３３２の周縁は、囲み壁３１５により包囲されるように封鎖される。
こうして、係止板３３２の凹溝３３２１と隔壁３１４との緊密嵌着、及び係止板３３２の周縁と囲み壁３１５との緊密の二重封鎖効果を通して、飲料区３１２、各収容設置空間３１３１は、互いに最良の密封性を達成する。
【００２０】
区分保管区３１３と飲料区３１２とが係止板３３２により隔離された後、開口３１１を経て、飲料区３１２中に第三材料Ｃを入れる。
即ち第一、第二、第三材料Ａ、Ｂ、Ｃは、個別に隔離され、未混合状態で飲料瓶３内に入れられる。
その後、瓶蓋３２で瓶体３１に蓋をし、開口３１１を封鎖する。
さらに、コントロールバー３３１に固定され、瓶蓋３２から露出する圧力ハンドル３３３は、図５の（ａ）に示す通り、頂蓋３６により瓶蓋３２上に押し付けられる。
こうして、圧力ハンドル３３３は頂蓋３６と瓶蓋３２との間に封鎖され、圧力ハンドル３３３をさらに効果的に保護することができる。
この結果、圧力ハンドル３３３に不当な外力が加えられて、予期せず多種類の材料が混合される状況は発生しない。
【００２１】
飲用する際には、図５の（ｂ）に示されるように、頂蓋３６を開き、圧力ハンドル３３３に外へ引く力を加えるだけで、コントロールバー３３１は移動し、瓶蓋３２外に露出する。
係止板３３２は、コントロールバー３３１と連動して引き上げられ、隔壁３１４、囲み壁３１５から引き離される。
この結果、各収容設置空間３１３１が飲料区３１２と相互に連通する。
図５の（ｃ）に示すように、係止板３３２をさらに引き上げて凸リブ３２２で囲まれた嵌着槽３２３に嵌着固定する。飲料区３１２に入れた第三材料Ｃは、係止板３３２の移動中に、各収容設置空間３１３１内に流入し、第一及び第二材料Ａ、Ｂと混合する。
【００２２】
使用者は、縮頚区３３１１位置を切断し、これにより瓶蓋３２外に露出するコントロールバー３３１の余分な長さを短縮し、コントロールバー３３１の露出部分が長過ぎることで、使用者が瓶体３１を振る動作への影響を回避する。こうして使用の利便性を大きく向上させる。
続いて、使用者は、手で瓶体３１の外周縁位置を持ち、上下に揺することにより、瓶体３１内の第三材料Ｃと第一及び第二材料Ａ、Ｂとを均一に混合する。
次いで、瓶蓋３２を開き、瓶体３１内のすでに混合された材料をカップに入れて飲用することができ、或いは直接開口３１１から、すでに混合された材料を飲用することもできる。
【００２３】
さらに、係止板３３２と各凸リブ３２２との嵌着は、瓶蓋３２を効果的に封鎖し、各材料Ａ、Ｂ、Ｃの溢れ出しを防止することができる。
よって、飲料瓶３には異なる多種類の材料を入れられ、しかも迅速に混合使用が達成でき、多様な選択性を提供できるばかりか、同時に使用の利便性をより高めることができる。
【００２４】
図６は、本発明の実施例３を示す。
実施例３では、多種類の材料を収容し混合可能な飲料瓶３の主な構造と達成しようとする効果は実施例１と同様なので詳述しないが、底蓋３４と隔壁３１４の間に遮断フィルム３５を設置する。
遮断フィルム３５は、底蓋３４で瓶体３１の第二端３１Ｂを蓋した時、底口３１６を封鎖できる。
遮断フィルム３５は、底蓋３４と隔壁３１４との間の密封性を強化でき、各材料の瓶体３１内からの流出を回避でき、最良の密封性を達成できる。
【００２５】
多種類の材料を収容し混合可能な飲料瓶は、各収容設置空間内にそれぞれ異なる材料を保管でき、係止板により隔壁位置を押すことで、凹溝は隔壁の頂縁を完全に包んで覆う。
これにより、飲料区と区分保管区及び各収容設置空間とは相互に連通せずに遮蔽され、同時に係止板の周縁は緊密に囲み壁と接して、囲み壁に包まれる。
このような二重封鎖効果により、飲料区、区分保管区及び各収容設置空間の相互の密封性を確保し、最良の密封効果を達成できる。
【００２６】
以上は、本発明の実施例の説明であって、本発明の権利範囲を限定するものではなく、特許請求の範囲を逸脱しない変更や修飾はすべて本発明の権利範囲に含まれる。
【符号の説明】
【００２７】
１        容器出口の蓋体構造
１１      容器
１２      蓋体
１３      区画パーツ
１１１    出口端
１１２    接続部
１１３    収容設置区
１２１    頂部面
１２２    側端面
１２３    中空収容設置室
１２４    底部面
１２５    蓋接続通路
３        飲料瓶
３１      瓶体
３２      瓶蓋
３３      作動組
３４      底蓋
３５      遮断フィルム
３６      頂蓋
３２１    底面
３２２    凸リブ
３２３    嵌着槽
３１１    第１の開口
３１２    飲料区
３１３    区分保管区
３１４    隔壁
３１５    囲み壁
３１６    底口
３１３１  収容設置空間
３１５１  第２の開口
３３１    コントロールバー
３３２    係止板
３３３    圧力ハンドル
３３１１  縮頚区
３３２１  凹溝
Ａ        第一材料
Ｂ        第二材料
Ｃ        第三材料
【図１】
2019051955.tif 000003
【図２】
2019051955.tif 000004
【図３】
2019051955.tif 000005
【図４】
2019051955.tif 000006
【図５】
2019051955.tif 000007
【図６】
2019051955.tif 000008